(57)【特許請求の範囲】
【請求項１】
ガイド手段によって多相用の回路遮断器の隣り合う異極端子間に備えられる複数の相間絶縁板と、入出力端子間に設けられ端部に係合部を備える入出力間絶縁板と、略Ｕ字状の弾性を有する線材からなりその両脚端部が固定部材に形成された孔に挿入されて取り付けられるとともに前記両脚を連結する連結部において前記入出力間絶縁板の係合部と係合自在である保持部材とを備え、前記両絶縁板が回路遮断器に取り付けられたとき互いに交差する部分に互いに噛み合うような切り欠きが該両絶縁板に形成され、前記相間絶縁板は、前記回路遮断器の端子台に設けられた溝に嵌め込まれるとともに、前記入出力間絶縁板によって保持されることを特徴とする回路遮断器の端子バリア装置。
【発明の詳細な説明】
【０００１】
【発明の属する技術分野】
本発明は、回路遮断器の端子間を絶縁する端子バリア装置に関する。
【０００２】
【従来の技術】
図６及び図７は従来の端子バリア装置を装着した三相用回路遮断器の裏面及び側面図である。
【０００３】
図６において、この回路遮断器には端子台３０上に、左よりＲ相、Ｓ相、Ｔ相のそれぞれの入力側端子（電源側端子）３１、３２、３３が上側に、出力側端子（負荷側端子）３４、３５、３６が下側に取り付けられている。これらの端子、特に隣り合うＲ相とＳ相との間、Ｓ相とＴ相との間には相間短絡を防止するためにそれぞれ絶縁板３７、３８が取り付けられている。
【０００４】
【発明が解決しようとする課題】
この端子バリア装置の絶縁板は、端子への電線やブスバーの取付作業の邪魔にならないように、それらを取り付けた後取り付ける場合が多い。しかし、従来の端子バリア装置は、絶縁板をねじによって取り付ける構造であったため、特に大型の回路遮断器の場合数多くの太い電線やブスバーなどを取り付けた後で絶縁板を取り付けるのは困難であった。
【０００５】
本発明の課題は、このような問題点を解決して取付の簡単な回路遮断器の端子バリア装置を提供することである。
【０００６】
【課題を解決するための手段】
このような課題を解決するため請求項１の発明による回路遮断器の端子バリア装置は、ガイド手段によって多相用の回路遮断器の隣り合う異極端子間に備えられる複数の相間絶縁板と、入出力端子間に設けられ端部に係合部を備える入出力間絶縁板と、略Ｕ字状の弾性を有する線材からなりその両脚端部が固定部材に形成された孔に挿入されて取り付けられるとともに両脚を連結する連結部において入出力間絶縁板の係合部と係合自在である保持部材とを備え、両絶縁板が回路遮断器に取り付けられたとき互いに交差する部分に互いに噛み合うような切り欠きが該両絶縁板に形成され、相間絶縁板は、回路遮断器の端子台に設けられた溝に嵌め込まれるとともに、入出力間絶縁板によって保持されることを特徴としている。
【０００７】
このような構成により、Ｕ字状の簡単な構成の保持部材を固定部材の孔に挿入して取り付け、相間絶縁板及び入出力間絶縁板をガイド手段に嵌め込み、入出力間絶縁板の端部に弾性を有する線材からなる保持部材を係合させるだけの簡単な作業で端子バリア装置を取り付けることができる。また、保持部材によって簡単に取り付け取り外しできる単一の入出力間絶縁板によって、多相回路遮断器に複数用いられる相間絶縁板を保持できるとともに、入出力端子間の絶縁も確保できる。
【００１０】
【発明の実施の形態】
この発明による回路遮断器の端子バリア装置の実施の形態を図１ないし図５に示される実施例によって説明する。
【００１１】
図１は三相用回路遮断器の主として裏面を説明するための斜視図であり、一対の側板１の間にわたされた一対のアングル２には絶縁成型物の端子台３が取り付けられている。端子台３には、その上側にＲ相の入力側端子４、Ｓ相の入力側端子５及びＴ相の入力側端子（図示されていない。）並びにその下側にＲ相の出力側端子６、Ｓ相の出力側端子７及びＴ相の出力側端子（図示されていない。）が取り付けられている。さらに、端子台３には、Ｒ相の入力側端子４及び出力側端子６とＳ相の出力側端子５及び出力側端子７との間に上下方向の溝３ａが形成され、同様にＳ相の両端子とＴ相の両端子との間に溝３ｂが形成され、それぞれの溝には相間絶縁板８及び９が嵌め込まれてＲ相とＳ相の端子間及びＳ相とＴ相の端子間を絶縁している。さらに、すべての入力側端子と出力側端子との間を絶縁するように左右方向に入出力間絶縁板１０が、その左右両端において留め金１１によって取り付けられている。
【００１２】
図２を参照して、相間絶縁板８及び９にはそれぞれ細長い溝状の切り欠き８ａ及び９ａが形成され、入出力間絶縁板１０にも細長い溝状の切り欠き１０ａ、１０ｂが形成されている。これらの切り欠きは入出力間絶縁板１０のガイド手段として機能し、切り欠き８ａには切り欠き１０ａが噛み合わされ、切り欠き９ａには切り欠き１０ｂが噛み合わされて、両絶縁板が互いに直交するように組み合わされる。そして、２枚の相間絶縁板８及び９が端子台３と１枚の入出力間絶縁板１０との間に保持されて図１のごとく装着される。
【００１３】
図３を参照して、留め金１１は弾性を有する線材によって、図においてＸ方向から見たとき一対の脚１１ａとこれらを連結する連結部１１ｂとを有する略「Ｕ」字状で、Ｙ方向から見たとき弧状になるよう形成されている。
【００１４】
入出力間絶縁板１０の固定は、留め金１１を利用して次の方法で行われる。まず、留め金１１を装着後の脱落を防止するため端部が曲げられた一対の脚１１ａの該端部を側板１に形成された角孔１ａに挿入して装着する。次に前述のごとく相間絶縁板８及び９を保持するように入出力間絶縁板１０を端子台３に取り付け、留め金１１を伸長させてその連結部１１ｂを山形辺の山を乗り越えさせて係合端部１０ｃに係合させる。このようにすると、留め金１１の弾性によって入出力間絶縁板１０を固定できる。なお、入出力間絶縁板１０はその山形辺を有する係合端部１０ｃ付近において側板１に形成されたガイド手段として機能する溝状の切り欠き１ｂに嵌め込まれて取付の安定性を増している。
【００１５】
上記留め金の変形例が図４及び第５図に示されている。この留め金１２は弾性部材の線材でその両脚にコイル状のばね機構１２ａが形成され、上記留め金１１と同様の機能を有している。
【００１６】
【発明の効果】
本発明は、以上説明したような形態で実施され、電線などを取り付けた後でも工具を使用することなく保持部材の簡単な操作だけで入出力間絶縁板を取り付けることができる。また、多相回路遮断器においては入出力間絶縁板の固定作業を行うことにより相間絶縁板の固定も行える。
【００１７】
【図面の簡単な説明】
【図１】本発明による回路遮断器の端子バリア装置の実施例を装着した回路遮断器の斜め後方から見た図である。
【図２】図１の相間絶縁板及び入出力間絶縁板の組合わせ方法を説明する図である。
【図３】図１の入出力間絶縁板の固定方法を説明する図である。
【図４】留め金の変形例を示す正面図である。
【図５】図４の側面図である。
【図６】従来の端子バリア装置を取り付けた回路遮断器の裏面図である。
【図７】図６の側面図である。
【符号の説明】
１  側板（１ａ  角孔、１ｂ  切り欠き）
８，９  相間絶縁板（８ａ，９ａ  切り欠き）
１０  入出力間絶縁板（１０ａ，１０ｂ  切り欠き、１０ｃ  係合端部）
１１，１２  留め金（１１ａ  脚、１１ｂ  連結部）
【図１】
0003853064.tif 000002
【図２】
0003853064.tif 000003
【図３】
0003853064.tif 000004
【図４】
0003853064.tif 000005
【図５】
0003853064.tif 000006
【図６】
0003853064.tif 000007
【図７】
0003853064.tif 000008